(57)【要約】【課題】モアレ模様のように変化に富んだ干渉縞模様を備えた樹木の根元保護盤を提供する。【解決手段】鋳鉄製品より成る樹木の根元保護盤として、保護盤本体１１は上位に位置する板上部１４と下位に位置する板下部１５とを有し、板上部１４と板下部１５はそれぞれ多数の透孔１６、１７を有するとともに、上記多数の透孔は一定のパターン分布をもって構成し、上記パターン分布を構成する多数の透孔の重なり度合いが異なることによって干渉縞が模様として表れるように構成したことを特徴とする。【選択図】          図１
2015097517.tif 000002
【特許請求の範囲】
【請求項１】
鋳鉄製品より成る樹木の根元保護盤であって、
保護盤本体は上位に位置する板上部と下位に位置する板下部とを有し、
板上部と板下部はそれぞれ多数の透孔を有するとともに、上記多数の透孔は一定のパターン分布をもって構成され、
上記パターン分布を構成する多数の透孔の重なり度合いが異なることによって干渉縞が模様として表れるように構成された
ことを特徴とする樹木の根元保護盤。
【請求項２】
鋳鉄製品より成る樹木の根元保護盤の鋳造方法であって、
多数の透孔を有し、かつ、多数の透孔が相互に一定の関係を持つパターン分布で構成された保護盤本体の板上部を鋳造する板上部用木型を用いて上型を製作し、
上記保護盤本体の板下部を鋳造する板下部用木型を用いて下型を製作し、
上記上形と下型をそれぞれの透孔対応部分が対面するように型合わせして砂型を形成し、
上記砂型に溶融金属を注湯し、さらに型バラシを経て、板上部と板下部とが一体構造を有し、かつ、それぞれの透孔の重なり度合いの異なる保護盤本体を鋳造するようにした
樹木の根元保護盤の鋳造方法。
【発明の詳細な説明】
【技術分野】
【０００１】
本発明は、鋳鉄製品より成る樹木の根元保護盤及びその鋳造方法に関するものである。
【背景技術】
【０００２】
樹木の根元保護盤は鋳鉄製品やアルミ合金製品その他の金属製品から成るものが多い。鋳鉄製品は砂型を用い鋳鉄を材料として製造されるもので、いわゆる鋳物製品である。鋳鉄製品の鋳造には砂型が使用され、砂型は型の形成は容易であるが、細かい模様等を表現することは困難である。このことは、鋳鉄製品より成る樹木の根元保護盤の模様に様々なデザインを施そうとする場合に、鋳造可能な模様を限定することになる。
【０００３】
例えば、実開平５−３４８４８号は半径方向の長孔を並列した環状模様により形成した同心円を三重に配することで非常に細かい柄を設けており、模様を構成するのは全て長孔である。また、意匠登録第１２６０８４６号は正方形の部材を用いて樹木の根本を取り囲む保護盤を構成しているが、模様は全てすだれ状のものである。これらに共通していえることは幾何学的な細かい模様が多く変化に乏しい傾向があるということである。なお、意匠登録第１１８９５５９号は幾何学模様を曲線状に分割した例であり、従来の模様の中でも変化のある模様といえる。
【０００４】
上記のように従来のものは概して単調であり、また、模様に変化を付けることができてもその模様の外観は常に不変である。このような従来の模様に対して見る位置や方向によって変化するより変化に富んだ模様が求められたが、そのようなものは知られていない。例えばモアレ模様とも呼ばれる干渉縞模様があるが、それは多数の透孔の重なり度合いが異なることによって生じるもので、これまでに例を見ない模様である。しかも、従来の模様はいずれも表裏を単純に貫通しているので、相当複雑な模様であっても鋳造は可能であるのに対してモアレ模様は上下の透孔のピッチが規則性をもってずれているため、特に透孔の重なり部分が小さい箇所等では穴詰まりが発生する。よって、干渉縞模様は通常行なわれる鋳造方法では実現することができない。
【０００５】
【特許文献１】実開平５−３４８４８号
【特許文献２】意匠登録第１２６０８４６号
【特許文献３】意匠登録第１１８９５５９号
【発明の開示】
【発明が解決しようとする課題】
【０００６】
本発明は前記の実情に鑑みてなされたもので、その課題は、モアレ模様のように変化に富んだ干渉縞模様を備えた樹木の根元保護盤を提供することである。また、本発明の他の課題は、モアレ模様のように変化に富んだ模様を備えた樹木の根元保護盤を鋳造によって製造可能にすることである。
【課題を解決するための手段】
【０００７】
前記の課題を解決するため、本発明は、鋳鉄製品より成る樹木の根元保護盤について、保護盤本体は上位に位置する板上部と下位に位置する板下部とを有し、板上部と板下部はそれぞれ多数の透孔を有するとともに、上記多数の透孔は一定のパターン分布をもって構成され、上記パターン分布を構成する多数の透孔の重なり度合いが異なることによって干渉縞が模様として表れるように構成するという手段を講じたものである。
【０００８】
本発明は干渉縞等変化に富んだ模様を樹木の根元保護盤に実現したものである。この樹木の根元保護盤の本体は上位に位置する板上部と、下位に位置する板下部とを有するものとする。板上部は多数の透孔を有している部分であり、板下部も多数の透孔を有している部分であるが、構成上そのように分けたもので保護板本体が複数の層状部分に分離している必要はない。
【０００９】
本発明の構成上、上記多数の透孔は一定のパターン分布をもって構成されている。すなわち、上記パターン分布を構成する多数の透孔の重なり度合いが異なることによって干渉縞が模様として表れるように構成されている。なお、パターン分布を構成する透孔には完全に貫通した孔から半分貫通した孔、ほとんど貫通していない穴や凹みがあり、本発明における透孔は多数の重なり度合いの異なるこれらを総称したものを指す概念である。
【００１０】
上記の構成を有する鋳鉄製品より成る樹木の根元保護盤は、多数の透孔を有し、かつ、多数の透孔が相互に一定の関係を持つパターン分布で構成された保護盤本体の板上部を鋳造する板上部用木型を用いて上型を製作し、上記保護盤本体の板下部を鋳造する板下部用木型を用いて下型を製作し、上記上形と下型をそれぞれの透孔対応部分が対面するように型合わせして砂型を形成し、上記砂型に溶融金属を注湯し、さらに型バラシを経て、板上部と板下部とが一体構造を有し、かつ、それぞれの透孔の重なり度合いの異なる保護盤本体を鋳造するという鋳造方法によって製造することができる。
【００１１】
本発明の樹木の根元保護盤は砂型を使用して鋳造する鋳鉄製品である。砂型形成のために必要な木型について、本発明の方法では保護盤本体の板上部を鋳造する板上部用木型を用いて上型を製作し、上記保護盤本体の板下部を鋳造する板下部用木型を用いて下型を製作する。このように本発明では砂型を上型と下型に分割し、各々の砂型に異なる模様を形成するとともに、鋳造時に上記上型と下型を重ねることとしたもので、これによって細かい模様や透孔等を形成することが可能になった。
【００１２】
その後の工程では、上記砂型に溶融金属を注湯し、さらに型バラシを経て、板上部と板下部とが一体構造を有し、かつ、それぞれの透孔の重なり度合いの異なる保護盤本体を鋳造する。これらの工程は、鋳造技術における定法に従って実施することができる。
【発明の効果】
【００１３】
本発明は以上のように構成され、かつ、作用するものであるから、例えばモアレ模様と呼ばれる模様のように変化に富んだ干渉縞模様を備えた樹木の根元保護盤を提供することができるという効果を奏する。また、本発明によれば、例えばモアレ模様のように変化に富んだ模様を備えた鋳鉄製品より成る樹木の根元保護盤を鋳造によって製造することが可能になる。
【発明を実施するための最良の形態】
【００１４】
以下、図示の実施形態を参照して本発明をより詳細に説明する。図１は本発明に係る樹木の根元保護盤の一例を示しており、図示の例における樹木の根元保護盤１０は４個の保護盤本体１１を環状に組み合せて構成されるもので、その中央には樹木１２の配置される空間１３を有する。
【００１５】
上記保護盤本体１１は上位に位置する板上部１４と下位に位置する板下部１５とを有している（図２、図３等参照）。板上部１４は各図からも明らかなように保護盤本体１１の上面を構成する部分であり、板下部１５は保護盤本体１１の下面を構成する部分である。板上部１４と板下部１５はそれぞれ多数の透孔１６、１７を有しており、かつ、上記多数の透孔１６、１７は一定のパターン分布をもって構成されている。
【００１６】
板上部１４には、透孔１６が上方向、下方向、斜め方向に一定のピッチで配列された一定のパターン分布をもって形成されており、また、板下部１５には、透孔１７が上方向、下方向、斜め方向に、板上部１４とは異なる一定のピッチで配列された一定のパターン分布をもって形成されている。実施形態における透孔１６、１７は円形の小孔から成り、それぞれの孔径自体は同一径になっていても良い。
【００１７】
板上部１４の透孔１６の一定のピッチと、板下部１５の透孔１７の一定のピッチとは規則性をもってずれており、このため上下の透孔１６、１７には重なり度合いが異なるようになる（図２）。この多数の透孔１６、１７の重なり度合いが異なることによって干渉縞がモアレ模様１８として表れているものである（図３）。
【００１８】
図３及び図４を参照することにより、板上部１４の透孔１６から板下部１５の透孔１７が見えており、かつ、板下部１５の透孔１７の見え方（透孔同士の重なり度合い）はそれぞれ異なっていることが理解されるであろう。このようにして、本発明の樹木の根元保護盤１０には干渉縞がモアレ模様として表れ、その現れ方も見る方向によって変わるので、変化に富んだ干渉縞模様を得ることができたといえるのである。
【００１９】
図中、符号１９は周縁部であり、一定のパターン分布をもって構成された上記多数の透孔１６、１７を取り囲んで設けられている。また、２０はボルト接合のための孔部、２１は垂れ下がり縁で、保護盤本体１１の外周に設けられている。
【００２０】
さらに、本発明に係る樹木の根元保護盤の鋳造方法について説明する。まず、多数の透孔１６、１７を有し、かつ、多数の透孔が相互に一定の関係を持つパターン分布で構成された、保護盤本体１１の板上部を鋳造するための板上部用木型２２と、上記保護盤本体の板下部を鋳造する板下部用木型２３を制作する（図５Ａ）。板上部用木型２２に設ける透孔形成用の突起２４のピッチＰ１は、板下部用木型２３に設ける透孔形成用の突起２５のピッチＰ２とは異なるものとする。
【００２１】
これらの板上部用木型２２と板下部用木型２３とを枠２６、２７で囲み、その中に鋳物砂（砂＋粘着剤＋硬化剤）２８、２９を充填する（砂込め：図５Ｂ）。次いで、枠２６、２７と鋳物砂２８、２９から成るものをそれぞれ板上部用木型２２、２３から脱型することにより、上型３０と下型３１を得る（脱型：図５Ｃ）。
【００２２】
得られた上型３０と下型３１をそれぞれの型面３２、３３が向き合うように下型３１を反転し（図６Ａ）、上型３０と下型３１の型合わせを行なう（図６Ｂ）。型合わせにより型面３２、３３から成るキャビティ３４を有する鋳型３５が完成する。こうして形成された鋳型３５に、注湯口３６から湯（溶融した鋳鉄）が注ぎ込まれる（図６Ｃ）。
【００２３】
鋳型３５内で湯を凝固、冷却させた後、鋳型３５を崩して鋳物３７が取り出される（型バラシ：図７Ａ）。この鋳物３７から湯口、堰、押し湯等を、グラインダー等の工具類を用いて切断するとともに、ショットブラストにより鋳物３７に付いた鋳砂を除去する（図７Ｂ）。得られた鋳物３７には、必要に応じてさらに塗装等の仕上げが施される。
【００２４】
上記樹木の根元保護盤１０に表れる透孔は、図７Ｂの上部に併記したように上下で完全に重なった透孔１６−１、１７−１、一部が重なった透孔１６−２、１７−２、全く重ならない透孔１６−３、１７−３の如く重なり度合いが異なる。そしてそれが干渉縞模様として表れることは既に述べたとおりである。なお、板上部１４と板下部１５が湯の凝固した一体構造であることは図７Ａ、Ｂからも明らかであり、また、透孔１６−１、１７−１等の内面に現れている境界のような線は型合わせ部の位置にあるが、誇張して図示されている。
【００２５】
本発明はこのように構成されているものであるが、実施形態以外の形態も取り得ることは明らかである。例えば、実施形態では円形の平面形状から成る保護盤本体１１を示したがこれを三角形、正方形、星型或いはハート型その他の平面形状のものとすることは何の問題もなく可能である。また、複数個の保護盤本体１１を組み合わせて１個の樹木保護盤１０を構成した例のみを示しているが、１個の保護盤本体１１でも１個の樹木の根元保護盤を構成することは当然である。また、例えば、保護盤本体１１を上位に位置する板上部１４と下位に位置する板下部１５のみで構成した例を示したのに対して、それらの間にさらに中間部を有する構成とすることも当然選択し得る事項である。
【図面の簡単な説明】
【００２６】
【図１】本発明に係る樹木の根元保護盤の一例を示すもので、Ａは正面図、Ｂは図Ａに対する上方側面図、同様にＣは下方側面図である。
【図２】図１ＡのＩＩ−ＩＩ線断面図である。
【図３】本発明における保護盤本体を示すもので、Ａは正面図、Ｂは図Ａに対する上方側面図、以下同様にＣは下方側面図、Ｄは左方側面図、Ｅは右方側面図である。
【図４】同じく図１の一部を示すもので、Ａは正面図、Ｂは図４ＡのＩＶＢ−ＩＶＢ線断面図である。
【図５】本発明に係る樹木の根元保護盤の鋳造方法における工程ＡＢＣを示す説明図である。
【図６】同じく図５に続く工程ＡＢＣを示す説明図である。
【図７】同じく図６に続く工程ＡＢ等を示す説明図である。
【符号の説明】
【００２７】
１０  樹木の根元保護盤
１１  保護盤本体
１２  樹木
１３  空間
１４  板上部
１５  板下部
１６、１７  透孔
１８  モアレ模様
１９  周縁部
２０  孔部
２２  板上部用木型
２３  板下部用木型
２４、２５  突起
２６、２７  枠
２８、２９  鋳物砂
３０  上型
３１  下型
３２、３３  成形型面
３４  キャビティ
３５  鋳型
３７  鋳物
【図１】
2015097517.tif 000003
【図２】
2015097517.tif 000004
【図３】
2015097517.tif 000005
【図４】
2015097517.tif 000006
【図５】
2015097517.tif 000007
【図６】
2015097517.tif 000008
【図７】
2015097517.tif 000009